(57)【要約】      （修正有）【課題】重量が増した直管型蛍光管形ＬＥＤ照明装置に特に有効な蛍光管の落下防止と蛍光管の交換容易性を確保した直管型蛍光管の反射板の構造を提供する。【解決手段】蛍光灯照明器具の蛍光管受口ソケットの反射板の嵌込み開口部に、吊下げバンド保持用曲げ２１を設けた構造にした。更に蛍光管受口ソケットの反射板の嵌込み開口に細い切り込みと幅に広い切り込みを加えた構造とした。既設の照明器具の反射板にも簡単な工具（ニブラー等）で切り込み加工が簡単に行えるものとした。各種のフック類と落下防止締付バンドにて蛍光管を確実に保持できるものとした。【選択図】図１
0003167595.tif 000002
【実用新案登録請求の範囲】
【請求項１】
直管型蛍光管受口ソケットの反射板嵌込み開口２の内側に、吊下げバンド保持用曲げ２１を設けたことを特徴とする落下防止機能付直管型蛍光灯反射板。
【請求項２】
直管型蛍光管受口ソケットの反射板嵌込み開口２の内側に狭い切り込み加工２２ａを加えた構造を特徴とする落下防止機能付直管型蛍光灯反射板。
【請求項３】
直管型蛍光管受口ソケットの嵌込み開口２に幅広い切り込み加工２２ｂを加えた構造を特徴とする落下防止機能付直管型蛍光灯反射板。
【請求項４】
直管型蛍光灯反射板の落下防止機能を有効にする為のプラスチック製、又はステンレス線製であって、プッシュロック式構造３１を特徴とするフック。
【請求項５】
直管型蛍光灯反射板の落下防止機能を有効にする為の金属製差込みフック３２に差込フック留めリング３２ａを組み合わせたことを特徴とするフック。
【請求項６】
直管型蛍光灯反射板の落下防止機能を有効にする為のプラスチック製プッシュロック式フックであって、高さ調整が可能な三段式構造３３を特徴とするフック。
【考案の詳細な説明】
【技術分野】
【０００１】  本考案の内容は、落下防止機能付直管型蛍光灯反射板の構造と、その機能を有効にする為の付属部品の構造に関するものである。
【背景技術】
【０００２】近年、中国、タヒチ、チリ等世界各地で、大型地震が多発してきた。  地震発生と同時に停電、天井に取り付けられている蛍光灯照明器具から蛍光管が地震の振動で落下破損し、手足の怪我による二次災害の対応に大変な事が判明してきた。そこで直管型蛍光管の落下防止を確実にする方法が求められている。【０００３】従来の蛍光管のガラス管内部には水銀などの有害物質が封入されているので、蛍光管が落下破損した場合、水銀の飛散による健康被害も避けることが出来なかった。【０００４】  特に最近、直管型蛍光管に替わり、点灯回路が内蔵された直管型蛍光管形ＬＥＤ装置が採用されるようになってきた。直管型蛍光管形ＬＥＤ装置はその重量が蛍光管より増加して、より一層確実な落下防止対策が求められている。
【特許文献１】
【考案の開示】
【考案が解決しようとする課題】
【０００５】  従来の直管型蛍光灯照明器具の反射板に落下防止機能を付加して、直管型蛍光管の落下防止を確実にすること。【０００６】  従来の直管型蛍光灯照明器具の反射板に加工を加え、簡単に直管型蛍光管の落下防止を確実にすること。【０００７】  従来の直管型蛍光灯照明器具の反射板に落下防止機能を付加して、簡単に直管型蛍光管をバンドにより締付けし、落下防止機能をもたせることが出来る様にすること。【０００８】直管型蛍光灯照明器具の直管型蛍光管の取り替えを容易にできるのもとすること。【０００９】  従来の直管型蛍光管よりも重い直管型蛍光形ＬＥＤ装置にも適応して出来るものとすること。
【課題を解決するための手段】  以下図面により説明する。【００１０】  図１に示す如く、従来の直管型蛍光管受口ソケットの反射板嵌込み開口２の内側に切り込み加工を加えて、吊下げバンド保持用曲げ２１を設けた。【００１１】  図１に示す如く、従来の直管型蛍光管受口ソケットの反射板嵌込み開口２の内側に細い切り込み加工２２ａを加えて、図４の差込みフック３２と差込みフック留めリング３２ａを差込み、落下防止締付けバンド６で直管型蛍光管を保持できるものとした。【００１２】  図１に示す如く、従来の直管型蛍光管受口ソケットの反射板嵌込み開口２に幅広い切り込み加工２２ｂを加えて、図５の挟込みクリップ３４を挿入出来るものとして、落下防止締付けバンド６で直管型蛍光管を保持できるものとした。【００１３】  図１に示す如く、通常の照明器具反射板取付け用丸穴４の他に、直管型蛍光管の頂上中心部分に丸穴３を複数個設けたものとした。【００１４】  図１に示す如く、通常の照明器具反射板取付け用丸穴４の他に、直管型蛍光管の頂上中心部分に異形穴３ａを複数個設けたものとした。【００１５】  図２に示すごとく、吊下げバンド保持用曲げ２１を設け、その部分に落下防止締付バンド６を通すことができるものとした。【００１６】  図２に示す如く、プラスチック製プッシュロック式フック３１を丸穴３に差し込み、落下防止締付バンド６で直管型蛍光管を保持できるものとした。【００１７】  図２に示す如く、プラスチック製よじり留めフック１０を異形穴３ａに差し込み９０度回して、落下防止締付バンド６で直管型蛍光管を保持できるものとした。【００１８】  図３に示す如く、差込みフック３２を丸穴３に差し込み、下からフック留めリング３２ａを嵌込み、落下防止締め付バンド６で直管型蛍光管を保持できるものとした。【００１９】  図４に示す如く、直管型蛍光管受口ソケットの反射板嵌込み開口２に細い切り込みを入れた部分２２ａに、差込みフック３２を、差込みフック留めリング３２ａで保持して、落下防止締付バンド６で直管型蛍光管を保持できるものとした。【００２０】  図５に示す如く、直管型蛍光管受口ソケットの反射板嵌込み開口２に広い切り込みを入れた部分２２ｂに、挟込みクリップ３４を挟込み、落下防止締付バンド６で直管型蛍光管を保持できるものとした。【００２１】  図６に直管型蛍光管受口ソケットの反射板嵌込み開口２に切り込みを入れて、吊り下げバンド保持用曲げ２１を利用して、落下防止締付けバンド６で蛍光管を保持させた場合の側面図を示した。【００２２】  図６にプラスチック製プッシュロック式フック３１を丸穴３に差し込む場合の側面図を示した。【００２３】  図７に高さ調整可能な三段式プラスチック製プッシュロック式フック３３やプッシュロック式締付けバンド９を丸穴３に差込んで、落下防止締め付バンド６で直管型蛍光管を保持させた場合の側面図を示した。【００２４】  図８に丸穴３にプラスチック製よじり留めフック１０や差込みフック３２を差込み、落下防止締付けバンド６で蛍光管を保持させた場合の側面図を示した。
【考案の効果】
【００２５】  本考案により、蛍光灯反射板を新規に取り替えることもなく、既設の反射板を簡単な工具で、加工を加えるだけで、確実に落下防止機能持たせることができる。【００２６】  これまで述べた簡単な方法により、直管型蛍光管の完全な落下防止となり、地震時の二次災害を確実に減少させることが出来る。
【考案を実施するための最良の形態】
【００２７】図６、図７、図８に示す側面図に従い、いずれかの方法で、二カ所または三箇所程度直管型蛍光管を保持させればよい。【００２８】  直管型蛍光管の取り替えが簡単に行える様に、落下防止締付けバンド６を、繰り返しロック・解除可能なものを使用すればよい。
【実施例】
【００２９】図６、図７、図８に示す側面図に従い、実施すればよい。
【産業上の利用可能性】
【００３０】特になし。
【図面の簡単な説明】
【００３１】
【図１】落下防止機能付直管型蛍光灯反射板図面
【図２】図１の反射板に付属部品を装着する場合の部分的詳細面図
【図３】図１の反射板に付属部品を装着する場合の部分的詳細面図
【図４】直管型蛍光管受口ソケットの反射板嵌込み開口２に細い切込みを入れた部分２２ａに差込みフック３２を装着し、差込みフック留めリング３２ａを使用場合の様子
【図５】直管型蛍光管受口ソケットの反射板嵌込み開口２に幅広い切込みを入れた部分２２ｂに、挟込みクリップ３４を装着した様子
【図６】直管型蛍光管ソケットの反射板嵌込み開口２に切込みを入れて、吊下げバンド保持用曲げ２１に、落下防止締付けバンド６で蛍光管を保持させた場合の断面図
【図７】三段式プラスチック製プッシュロック式フック３３やプッシュロック式締付けバンド９を丸穴３に差込んで、蛍光管を保持させた場合の断面図
【図８】丸穴３によじり留めプラスチック１０や差込みフック３２を差込み、落下防止締付バンド６で蛍光管を保持させた場合の断面図と、丸穴４を利用して、バンド保持用プラスチック８に落下防止締付けバンド６を通して、蛍光管を保持させた場合の断面図
【図９】プラスチック製プッシュロック式フックク９の断面図及び側面図
【図１０】差込みフック３２．差込みフック留めリング３２ａの断面図及び側面図と構成図
【図１１】三段式プラスチック製プッシュロック式フック３３の側面図及び断面図
【図１２】反射板を照明器具本体に止める為の丸穴３を使用して、蛍光管を落下防止締付バンドで止める場合の一例図面
【図１３】反射板を照明器具本体に止める為の丸穴４を使用して、バンド保持用プラスチック８のバンド保持用プラスチック留め穴８ａを利用して、落下防止締め付けバンド６で蛍光管を止める場合図面
【図１４】プッシュロック式締め付けバンド９の詳細図面
【図１５】よじり留めプラスチック製フック１０の詳細図面
【符号の説明】
【００３２】１．落下防止機能付直管型蛍光灯反射板
１１．蛍光灯本体
１２．直管型蛍光管受口ソケット
２．直管型蛍光管受口ソケットの反射板嵌込み開口
２１．吊下げバンド保持用曲げ
２２ａ．直管型蛍光管受口ソケットの反射板嵌込み開口に細い切込みを入れた部分
２２ｂ．直管型蛍光管受口ソケットの反射板嵌込み開口に幅広い切込みを入れた部分
３．丸穴群
３ａ．異形穴群
３１．プラスチック製プッシュロック式フック
３２．差込みフック
３２ａ．差込みフック留めリング
３３．三段式プラスチック製プッシュロック式フック
３４．挟込みクリップ
４．反射板を照明器具本体に止める為の穴類
４１．反射板止めビス
５．直管型蛍光管
６．落下防止締付けバンド
７．落下防止締付けバンド留めプラスチック
７ａ．落下防止締付けバンド留め穴
８．バンド保持用プラスチック
８ａ．バンド保持用プラスチック留め穴
９．プッシュロック式締付けバンド
９１ａ．プッシュロック式締付けバンドのロック部分
１０．プラスチック製よじり留めフック
【図１】
0003167595.tif 000003
【図２】
0003167595.tif 000004
【図３】
0003167595.tif 000005
【図４】
0003167595.tif 000006
【図５】
0003167595.tif 000007
【図６】
0003167595.tif 000008
【図７】
0003167595.tif 000009
【図８】
0003167595.tif 000010
【図９】
0003167595.tif 000011
【図１０】
0003167595.tif 000012
【図１１】
0003167595.tif 000013
【図１２】
0003167595.tif 000014
【図１３】
0003167595.tif 000015
【図１４】
0003167595.tif 000016
【図１５】
0003167595.tif 000017
【手続補正書】
【提出日】平成23年2月9日(2011.2.9)
【手続補正１】
【補正対象書類名】明細書
【補正対象項目名】全文
【補正方法】変更
【補正の内容】
【考案の詳細な説明】
【技術分野】
【０００１】  本考案の内容は、落下防止機能付直管型蛍光灯反射板の構造と、その機能を有効にする為の付属部品の構造に関するものである。
【背景技術】
【０００２】  近年、中国、タヒチ、チリ等世界各地で、大型地震が多発してきた。地震発生と同時に停電、天井に取り付けられている蛍光灯照明器具から蛍光管が地震の振動で落下破損し、手足の怪我による二次災害の対応に大変な事が判明してきた。そこで直管型蛍光管の落下防止を確実にする方法が求められている。【０００３】  従来の蛍光管のガラス管内部には水銀などの有害物質が封入されているので、蛍光管が落下破損した場合、水銀の飛散による健康被害も避けることが出来なかった。【０００４】  特に最近、直管型蛍光管に替わり、点灯回路が内蔵された直管型蛍光管形ＬＥＤ装置が採用されるようになってきた。直管型蛍光管形ＬＥＤ装置はその重量が蛍光管より増加して、より一層確実な落下防止対策が求められている。
【特許文献１】
【考案の開示】
【考案が解決しようとする課題】
【０００５】  従来の直管型蛍光灯照明器具の反射板に機能を付加して、直管型蛍光管の落下防止を確実にすること。【０００６】  従来の直管型蛍光灯照明器具の反射板に加工を加え、簡単に直管型蛍光管の落下防止を確実にすること。【０００７】  従来の直管型蛍光灯照明器具の反射板に落下防止機能を付加して、バンド締め付けにより直管型蛍光管の落下防止を確実にすること。【０００８】  直管型蛍光灯照明器具の直管型蛍光管の取り替えを容易にできるのもとすること。【０００９】  従来の直管型蛍光管よりも重い直管型蛍光形ＬＥＤ装置にも適応して出来るものとすること。
【課題を解決するための手段】  以下図面により説明する。【００１０】  図１６に示す如く、通常の直管型蛍光管受口ソケット１２の反射板嵌込み開口２の内側に切り込み加工を加えて、図１７、図１８に示す吊下げバンド保持用曲げ２１を設けた。
図１６に直管型蛍光管受け口ソケット１２の反射板嵌込み開口２の通常の形状を示した。【００１１】  図１、図４に示す如く、通常の直管型蛍光管受口ソケット１２の反射板嵌込み開口２の内側に、細い切り込み加工２２ａを加えて、差込みフック３２と差込みフック留めリング３２ａを差込み、落下防止締付けバンド６で直管型蛍光管を保持できるものとした。【００１２】  図１、図５に示す如く、通常の直管型蛍光管受口ソケット１２の反射板嵌込み開口２に幅広い切り込み加工２２ｂを加えて、図５の挟込みクリップ３４を挿入出来るものとして、落下防止締付けバンド６で直管型蛍光管を保持できるものとした。【００１３】  図１に示す如く、通常の照明器具反射板取付け用丸穴４の他に、直管型蛍光管の頂上中心部分に適切なサイズの丸穴３を複数個設けたものとした。【００１４】  図１に示す如く、通常の照明器具反射板取付け用丸穴４の他に、直管型蛍光管の頂上中心部分に異形穴３ａを複数個設けたものとした。【００１５】  図６の断面図に示すごとく、吊下げバンド保持用曲げ２１を設け、その部分に落下防止締付バンド６を通すことができるものとした。詳細断面図と平面図を図１７、図１８に示した。【００１６】  図２に示す如く、プラスチック製プッシュロック式フック３１を丸穴３に差し込み、図６の断面図に示す如く、落下防止締付バンド６で直管型蛍光管を保持できるものとした。【００１７】  図２に示す如く、プラスチック製よじり留めフック１０を異形穴３ａに差し込み９０度回して、落下防止締付バンド６で直管型蛍光管を保持できるものとした。【００１８】  図３に示す如く、差込みフック３２を丸穴３に差し込み、下からフック留めリング３２ａを嵌込み、図８の断面図に示す如く、落下防止締め付バンド６で直管型蛍光管を保持できるものとした。【００１９】  図４に示す如く、直管型蛍光管受口ソケット１２の反射板嵌込み開口２に細い切り込みを入れた部分２２ａに、差込みフック３２を、差込みフック留めリング３２ａで保持して、落下防止締付バンド６で直管型蛍光管を保持できるものとした。細い切り込みを入れた詳細を図１９に示した。【００２０】  図５に示す如く、直管型蛍光管受口ソケット１２の反射板嵌込み開口２に広い切り込みを入れた部分２２ｂに、挟込みクリップ３４を挟込み、落下防止締付バンド６で直管型蛍光管を保持できるものとした。幅広い切り込みをいれた詳細を図２０に示した。【００２１】  図６に直管型蛍光管受口ソケット１２の反射板嵌込み開口２に切り込みを入れて、吊り下げバンド保持用曲げ２１を利用して、落下防止締付けバンド６で蛍光管を保持させた場合の断面図を示した。【００２２】  図６にプラスチック製プッシュロック式フック３１を丸穴３に差し込む場合の断面図を示した。【００２３】  図７に三段式プラスチック製プッシュロック式フック３３やプッシュロック式締付けバンド９を丸穴３に差込んで、落下防止締め付バンド６で直管型蛍光管を保持させた場合の断面図を示した。蛍光管の吊り下げ距離を三段に調整可能なものとなる。【００２４】  図８に丸穴３にプラスチック製よじり留めフック１０や差込みフック３２を差込み、落下防止締付けバンド６で蛍光管を保持させた場合の断面図を示し��。【００２５】  図１６に直管型蛍光管受口ソケット１２の反射板嵌込み開口２の形状を示した。
【考案の効果】
【００２６】  本考案により、蛍光灯反射板を新規に取り替えることもなく、既設の反射板を簡単な工具で、図１７、図１８、図１９、図２０の如く加工を加えるだけで、バンドで吊り下げて、確実に落下防止機能持たせることができる。【００２７】  図１２、図１３に示す如く、フックやバンド類と反射板に加工を加えずに、簡単に直管型蛍光管の完全な落下防止となり、地震時の二次災害を確実に減少させることが出来る。
【考案を実施するための最良の形態】
【００２８】  図６、図７、図８に示す断面図に従い、いずれかの方法で、二カ所または三箇所程度直管型蛍光管を保持させれば、確実な蛍光管落下防止となる。【００２９】  直管型蛍光管の取り替えが簡単に行える様に、落下防止締付けバンド６を、繰り返しロック・解除可能なものを使用すればよい。【００３０】  図１７、図１８に吊り下げバンド保持用曲げ２１の詳細を示した。切り込み長さａは１０ｍｍ〜１５ｍｍが適切である、持ち上げ高さｂは５ｍｍ程度で良く、幅ｃは１０ｍｍ程度で良い。【００３１】  図１９に直管型蛍光管受口ソケットの反射板嵌込み開口２に細い切込みを入れた部分２２ａの詳細平面図を示した。切り込み長さｄは２０ｍｍ程度で良く、切り込み幅ｅは１０ｍｍ程度で良い。【００３２】  図２０に直管型蛍光管受口ソケットの反射板嵌込み開口２に幅広い切込みを入れた部分２２ｂの詳細平面図を示した。切り込み長さｆは２０ｍｍ程度で良く、切り込み幅ｇは１５ｍｍ程度で良い。
【実施例】
【００３３】  図６、図７、図８に示す断面図に従い、実施すればよい。
【産業上の利用可能性】
【００３４】  特になし。
【図面の簡単な説明】
【００３５】
【図１】落下防止機能付直管型蛍光灯反射板図面
【図２】図１の反射板に吊り下げ部品類を装着する場合の部分的詳細面図
【図３】図１の反射板に吊り下げ部品類を装着する場合の部分的詳細面図
【図４】直管型蛍光管受口ソケットの反射板嵌込み開口２に細い切込みを入れた部分２２ａに差込みフック３２を装着し、差込みフック留めリング３２ａを使用場合の様子
【図５】直管型蛍光管受口ソケットの反射板嵌込み開口２に幅広い切込みを入れた部分２２ｂに、挟込みクリップ３４を装着した様子
【図６】直管型蛍光管ソケットの反射板嵌込み開口２に切込みを入れて、吊下げバンド保持用曲げ２１に、落下防止締付けバンド６で蛍光管を保持させた場合の断面図
【図７】三段式プラスチック製プッシュロック式フック３３やプッシュロック式締付けバンド９を丸穴３に差込んで、蛍光管を保持させた場合の断面図
【図８】丸穴３によじり留めプラスチック１０や差込みフック３２を差込み、落下防止締付バンド６で蛍光管を保持させた場合の断面図と、丸穴４を利用して、バンド保持用プラスチック８に落下防止締付けバンド６を通して、蛍光管を保持させた場合の断面図
【図９】プラスチック製プッシュロック式フックク９の断面図及び側面図
【図１０】差込みフック３２．差込みフック留めリング３２ａの断面図及び側面図と構成図
【図１１】三段式プラスチック製プッシュロック式フック３３の側面図及び断面図
【図１２】反射板を照明器具本体に止める為の丸穴３または穴４を使用して、蛍光管を落下防止締付バンドで止める場合の一例図面
【図１３】反射板を照明器具本体に止める為の丸穴４を使用して、バンド保持用プラスチック８のバンド保持用プラスチック留め穴８ａを利用して、落下防止締め付けバンド６で蛍光管を止める場合図面
【図１４】プッシュロック式締め付けバンド９の詳細図面
【図１５】よじり留めプラスチック製フック１０の詳細図面
【図１６】直管型蛍光管受口ソケット１２の反射板嵌込み開口２の図面
【図１７】吊り下げバンド保持用曲げ２１の詳細断面図
【図１８】吊り下げバンド保持用曲げ２１の詳細平面図
【図１９】細い切り込み加工２２ａの詳細図面
【図２０】幅広い切り込み加工２２ｂの詳細図面
【符号の説明】
【００３６】１．落下防止機能付直管型蛍光灯反射板
１１．蛍光灯本体
１２．直管型蛍光管受口ソケット
２．直管型蛍光管受口ソケットの反射板嵌込み開口
２１．吊下げバンド保持用曲げ
２２ａ．直管型蛍光管受口ソケットの反射板嵌込み開口に細い切り込み加工
２２ｂ．直管型蛍光管受口ソケットの反射板嵌込み開口に幅広い切込み加工
３．丸穴群
３ａ．異形穴群
３１．プラスチック製プッシュロック式フック
３２．差込みフック
３２ａ．差込みフック留めリング
３３．三段式プラスチック製プッシュロック式フック
３４．挟込みクリップ
４．反射板を照明器具本体に止める為の穴類
４１．反射板止めビス
５．直管型蛍光管
６．落下防止締付けバンド
７．落下防止締付けバンド留めプラスチック
７ａ．落下防止締付けバンド留め穴
８．バンド保持用プラスチック
８ａ．バンド保持用プラスチック留め穴
９．プッシュロック式締付けバンド
９１ａ．プッシュロック式締付けバンドのロック部分
１０．プラスチック製よじり留めフック
ａ．切り込み長さ  ｂ．持ち上げ高さ  ｃ．切り込み幅
ｄ．切り込み長さ  ｅ．切り込み幅  ｆ．切り込み長さ  ｇ．切り込み幅
【手続補正２】
【補正対象書類名】実用新案登録請求の範囲
【補正対象項目名】全文
【補正方法】変更
【補正の内容】
【実用新案登録請求の範囲】
【請求項１】
直管型蛍光管受口ソケット１２の反射板嵌込み開口２の内側に、吊下げバンド保持用曲げ２１を設けたことを特徴とする落下防止機能付直管型蛍光灯反射板、
【請求項２】
直管型蛍光管受口ソケット１２の反射板嵌込み開口２の内側に、狭い切り込み加工２２ａを有することを特徴とする請求項１記載の落下防止機能付直管型蛍光灯反射板、
【請求項３】
直管型蛍光管受口ソケット１２の反射板嵌込み開口２の内側に、幅広い切り込み加工２２ｂを有することを特徴とする請求項１記載の落下防止機能付直管型蛍光灯反射板、
【請求項４】
プラスチック製、又はステンレス製であって、プッシュロック式フック３１を差し込むことが出来る複数の適切なサイズの丸穴３を備えたことを特徴とする請求項１記載の落下防止機能付直管型蛍光灯反射板、
【請求項５】
金属製差込みフック３２と差込みフック留めリング３２ａとを組み合わせものを差し込むことが出来る複数の適切なサイズの丸穴３を備えたことを特徴とする請求項１記載の落下防止機能付直管型蛍光灯反射板、
【請求項６】
プラスチック製プッシュロック式フックであって、高さ調整が可能な三段式構造のフック３３を差し込むことが出来る複数の適切なサイズの丸穴３を備えたことを特徴とする請求項１記載の落下防止機能付直管型蛍光灯反射板。
【手続補正３】
【補正対象書類名】図面
【補正対象項目名】全図
【補正方法】変更
【補正の内容】
【図１】
0003167595.tif 000018
【図２】
0003167595.tif 000019
【図３】
0003167595.tif 000020
【図４】
0003167595.tif 000021
【図５】
0003167595.tif 000022
【図６】
0003167595.tif 000023
【図７】
0003167595.tif 000024
【図８】
0003167595.tif 000025
【図９】
0003167595.tif 000026
【図１０】
0003167595.tif 000027
【図１１】
0003167595.tif 000028
【図１２】
0003167595.tif 000029
【図１３】
0003167595.tif 000030
【図１４】
0003167595.tif 000031
【図１５】
0003167595.tif 000032
【図１６】
0003167595.tif 000033
【図１７】
0003167595.tif 000034
【図１８】
0003167595.tif 000035
【図１９】
0003167595.tif 000036
【図２０】
0003167595.tif 000037